(57)【要約】【課題】  ウインドレギュレータの弛み除去機構５，６，７に於いて、スライドブッシュ６の移動距離を短くし、弛み除去までの所要時間を短縮する。【解決手段】  ワイヤガイド５とスライドブッシュ６と両者間に介装されてスライドブッシュ６をワイヤガイド５から離隔する方向へ付勢するコイルスプリング７とから成るウインドレギュレータの弛み除去機構。コイルスプリング７を拡径状態でスライドブッシュ６の外周面に取り付けて、コイルスプリング７がスライドブッシュ６を押し出す伸張時にスライドブッシュ６の外周面を外れてワイヤガイド５の筒部５１に乗った部分が縮径するようにし、圧縮時にスライドブッシュ６の外周面に再び乗り得ないようにする。【選択図】      図１
2009203751.tif 000002
【特許請求の範囲】
【請求項１】
ガイドレールに摺動可能に設けられたスライダベースと、一端をドラムに接続され前記ガイドレールの上端のプーリーを介して他端を前記スライダベースの上部側に接続された上ワイヤと、一端を前記ドラムに接続され前記ガイドレールの下端のプーリーを介して他端を前記スライダベースの下部側に接続された下ワイヤとを有し、前記上ワイヤを前記ドラムに巻き取りつつ前記下ワイヤを繰り出して前記スライダベースを上昇させることにより該スライダベースに支持されたウインドガラスを上昇させ、前記下ワイヤを前記ドラムに巻き取りつつ前記上ワイヤを繰り出して前記スライダベースを下降させることにより前記ウインドガラスを下降させるウインドレギュレータであって、
前記上ワイヤと下ワイヤは、前記ドラムからそれぞれ対応するプーリーに至る部分に於いて可撓性の有る筒状のアウタケーシング内に収容されており、
前記上ワイヤと下ワイヤが前記ドラムから導出される各導出口には、それぞれ、当該の導出口と一体のワイヤガイドと、該ワイヤガイドの筒部に対して摺動可能に外嵌され導出口側の端面がワイヤガイドの基部に当接されるとともに反導出口側の端面側に前記アウタケーシングの端部が係止された筒状のスライドブッシュと、前記ワイヤガイドとスライドブッシュの間に介装されスライドブッシュをワイヤガイドから離隔する方向へ付勢するコイルスプリングとが設けられており、
前記コイルスプリングを拡径状態で前記スライドブッシュの外周面に取り付けることにより該コイルスプリングがスライドブッシュを押し出す伸張時にスライドブッシュの外周面を外れてワイヤガイドの筒部の外周面に移った部分が縮径するようにして、圧縮時にスライドブッシュの外周面に再び乗り得ないようにした、
ことを特徴とするウインドレギュレータ。
【請求項２】
ガイドレールに摺動可能に設けられたスライダベースと、一端をドラムに接続され前記ガイドレールの上端のプーリーを介して他端を前記スライダベースの上部側に接続された上ワイヤと、一端を前記ドラムに接続され前記ガイドレールの下端のプーリーを介して他端を前記スライダベースの下部側に接続された下ワイヤとを有し、前記上ワイヤを前記ドラムに巻き取りつつ前記下ワイヤを繰り出して前記スライダベースを上昇させることにより該スライダベースに支持されたウインドガラスを上昇させ、前記下ワイヤを前記ドラムに巻き取りつつ前記上ワイヤを繰り出して前記スライダベースを下降させることにより前記ウインドガラスを下降させるウインドレギュレータであって、
前記上ワイヤと下ワイヤは、前記ドラムからそれぞれ対応するプーリーに至る部分に於いて可撓性の有る筒状のアウタケーシング内に収容されており、
前記上ワイヤと下ワイヤが前記ドラムから導出される各導出口には、それぞれ、当該の導出口と一体のワイヤガイドと、該ワイヤガイドの筒部に対して摺動可能に内嵌され導出口側の端面がワイヤガイドの基部に当接されるとともに反導出口側の端面側に前記アウタケーシングの端部が係止された筒状のスライドブッシュと、前記ワイヤガイドとスライドブッシュの間に介装されスライドブッシュをワイヤガイドから離隔する方向へ付勢するコイルスプリングとが設けられており、
前記コイルスプリングを拡径状態で前記ワイヤガイドの筒部の外周面に取り付けることにより該コイルスプリングがスライドブッシュを押し出す伸張時にワイヤガイドの筒部の外周面を外れてスライドブッシュの外周面に移った部分が縮径するようにして、圧縮時にワイヤガイドの筒部の外周面に再び乗り得ないようにした、
ことを特徴とするウインドレギュレータ。
【発明の詳細な説明】
【技術分野】
【０００１】
本発明はワイヤ方式のウインドレギュレータに関する。詳しくは、ワイヤの弛み対策のための機構を備えたウインドレギュレータに生ずる不具合を、当該の機構を改良することにより解消したウインドレギュレータに関する。
【背景技術】
【０００２】
図２は、弛み対策のための機構を備えた従来のウインドレギュレータを示し、（ａ）は要部斜視図、（ｂ）は全体構成の正面図である。
図示のウインドレギュレータは、ガイドレール１１に摺動可能に設けられたスライダベース１３と、一端をドラム１７に接続されガイドレール１１の上端のプーリー１５ａを介して他端をスライダベース１３の上部側に接続された上ワイヤ２ａと、一端をドラム１７に接続されガイドレール１１の下端のプーリー１５ｂを介して他端をスライダベース１３の下部側に接続された下ワイヤ２ｂとを有し、上ワイヤ２ａをドラム１７に巻き取りつつ下ワイヤ２ｂを繰り出してスライダベース１３を上昇させることにより該スライダベース１３に支持されたウインドガラス（不図示）を上昇させ、下ワイヤ２ｂをドラム１７に巻き取りつつ上ワイヤ２ａを繰り出してスライダベース１３を下降させることにより該スライダベース１３に支持されたウインドガラス（不図示）を下降させる装置である。
なお、９０は、ドラム１７を正逆方向へ回転駆動するためのモータである。
【０００３】
上記に於いて、上ワイヤ２ａ／下ワイヤ２ｂは、ドラム１７の導出口１７１ａ／１７１ｂからそれぞれ対応するプーリー１５ａ／１５ｂに至る部分に於いて、可撓性の有る筒状のアウタケーシング２０ａ／２０ｂ内に収容されている。即ち、或る程度の変形が可能であるとともに、内部に収容したワイヤ２ａ／２ｂを規制する程度の剛性を有する筒状のアウタケーシング２０ａ／２０ｂ内に収容されている。
【０００４】
また、上ワイヤ２ａ／下ワイヤ２ｂがドラム１７から導出される各導出口１７１ａ／１７１ｂには、それぞれ、ワイヤガイド５ｐと、スライドブッシュ６ｐと、コイルスプリング７ｐが設けられている。ここで、ワイヤガイド５ｐは、当該のワイヤガイド５ｐが設けられた導出口１７１ａ／１７１ｂと一体である。また、スライドブッシュ６ｐは、ワイヤガイド５ｐの筒部（図１で不図示）に対して摺動可能に嵌められている。このスライドブッシュ６ｐの導出口１７１ａ／１７１ｂ側の端面６ｃ−ｐは、ワイヤガイド５ｐに当接されており、反導出口側の端面６ｄ−ｐ側の孔内には、アウタケーシング２０ａ／２０ｂの端部２０ａ−ｃ／２０ｂ−ｃが挿入・係止されている。また、コイルスプリング７ｐは、スライドブッシュ６ｐとワイヤガイド５ｐの間に介装されていて、スライドブッシュ６ｐをワイヤガイド５ｐから離隔する方向へ付勢している。
【０００５】
弛みの除去について説明する。
長年の使用によって、例えば、ワイヤ２ａ／２ｂが伸びたり、プーリー１５ａ／１５ｂが磨耗したりして、ワイヤ２ａ／２ｂの経路長さが長くなると、ワイヤ２ａ／２ｂがドラム１７から繰り出される時に弛みが発生する。例えば、スライダベース１３の上昇時には下ワイヤ２ｂに弛みが生じ、下降時には上ワイヤ２ａに弛みが生ずる。
弛みが生ずると、ワイヤ２ａ／２ｂの導出口１７１ａ／１７１ｂに設けられている弛み除去機構（ワイヤガイド５ｐ，スライドブッシュ６ｐ，コイルスプリング７ｐ）のスライドブッシュ６ｐが、コイルスプリング７ｐの付勢力によってワイヤガイド５ｐから離隔する方向へ摺動し、これに押されてアウタケーシング２０ａ／２０ｂが撓み、内部のワイヤ２ａ／２ｂを当該撓みの方向へ規制する。これにより、ワイヤ２ａ／２ｂにテンションがかかるようになり、上記した弛みが解消される。
【０００６】
上述した弛み除去機構は、例えば、特開平９−１４４４２４号公報（特許文献１）に記載されている。
【特許文献１】特開平９−１４４４２４号公報。
【発明の開示】
【発明が解決しようとする課題】
【０００７】
ワイヤ２ａ／２ｂの弛みは、ワイヤ２ａ／２ｂがドラム１７から繰り出される時に発生し、巻き取られる時には生じない。言い換えれば、スライドブッシュ６ｐは、ワイヤ２ａ／２ｂが巻き取られた状態から繰り出される状態へ転じた時にワイヤガイド５ｐから離隔する方向へ摺動し、繰り出された状態から巻き取られる状態へ転じた時に接近する方向へ摺動する、という動作を繰り返す。その摺動距離は、ワイヤ２ａ／２ｂの伸びや、プーリー１５ａ／１５ｂの摩耗度合いが大きくなるにつれて大きくなる。
【０００８】
ワイヤ２ａ／２ｂの弛みが解消されるのは、スライドブッシュ６ｐがワイヤガイド５ｐから離隔する方向へ限度まで摺動した時点である。したがって、上記したように長年の使用によってスライドブッシュ６ｐの摺動距離が長くなると、ワイヤ２ａ／２ｂの弛みが解消されるまでに長時間を要するようになり、その結果、例えば、スライダベース１３の上昇／下降の開始が遅れて使用者がイライラしたり、さらには、ワイヤ２ａ／２ｂがプーリー１５ａ／１５ｂから脱落するといった不具合が生ずる恐れもある。
本発明は、かかる不具合を防止することを目的とする。
【課題を解決するための手段】
【０００９】
本発明は、下記［１］〜［２］のように記述される。
なお、この項（課題を解決するための手段）と次項（発明の効果）で付した符号は理解を容易にするためのものであり、本発明を符号の構成に限定する趣旨ではない。
［１］構成１：
ガイドレール１１に摺動可能に設けられたスライダベース１３と、一端をドラム１７に接続され前記ガイドレール１１の上端のプーリー１５ａを介して他端を前記スライダベース１３の上部側に接続された上ワイヤ２ａと、一端を前記ドラム１７に接続され前記ガイドレール１１の下端のプーリー１５ｂを介して他端を前記スライダベース１３の下部側に接続された下ワイヤ２ｂとを有し、前記上ワイヤ２ａを前記ドラム１７に巻き取りつつ前記下ワイヤ２ｂを繰り出して前記スライダベース１３を上昇させることにより該スライダベース１３に支持されたウインドガラスを上昇させ、前記下ワイヤ２ｂを前記ドラム１７に巻き取りつつ前記上ワイヤ２ａを繰り出して前記スライダベース１３を下降させることにより前記ウインドガラスを下降させるウインドレギュレータであって、
前記上ワイヤ２ａと下ワイヤ２ｂは、前記ドラム１７からそれぞれ対応するプーリー１５ａ／１５ｂに至る部分に於いて可撓性の有る筒状のアウタケーシング２０ａ／２０ｂ内に収容されており、
前記上ワイヤ２ａと下ワイヤ２ｂが前記ドラム１７から導出される各導出口１７１ａ／１７１ｂには、それぞれ、当該の導出口１７１ａ／１７１ｂと一体のワイヤガイド５と、該ワイヤガイド５の筒部５１に対して摺動可能に外嵌され導出口１７１ａ／１７１ｂ側の端面６ｃがワイヤガイド５の基部５３に当接されるとともに反導出口側の端面６ｄ側に前記アウタケーシング２０ａ／２０ｂの端部が係止された筒状のスライドブッシュ６と、前記ワイヤガイド５とスライドブッシュ６の間に介装されスライドブッシュ６をワイヤガイド５から離隔する方向へ付勢するコイルスプリング７とが設けられており、
前記コイルスプリング７を拡径状態で前記スライドブッシュ６の外周面に取り付けることにより該コイルスプリング７がスライドブッシュ６を押し出す伸張時にスライドブッシュ６の外周面を外れてワイヤガイド５の筒部５１の外周面に移った部分が縮径するようにして、圧縮時にスライドブッシュ６の外周面に再び乗り得ないようにした、
ことを特徴とするウインドレギュレータ。
【００１０】
［２］構成２：
ガイドレール１１に摺動可能に設けられたスライダベース１３と、一端をドラム１７に接続され前記ガイドレール１１の上端のプーリー１５ａを介して他端を前記スライダベース１３の上部側に接続された上ワイヤ２ａと、一端を前記ドラム１７に接続され前記ガイドレール１１の下端のプーリー１５ｂを介して他端を前記スライダベース１３の下部側に接続された下ワイヤ２ｂとを有し、前記上ワイヤ２ａを前記ドラム１７に巻き取りつつ前記下ワイヤ２ｂを繰り出して前記スライダベース１３を上昇させることにより該スライダベース１３に支持されたウインドガラスを上昇させ、前記下ワイヤ２ｂを前記ドラム１７に巻き取りつつ前記上ワイヤ２ａを繰り出して前記スライダベース１３を下降させることにより前記ウインドガラスを下降させるウインドレギュレータであって、
前記上ワイヤ２ａと下ワイヤ２ｂは、前記ドラム１７からそれぞれ対応するプーリー１５ａ／１５ｂに至る部分に於いて可撓性の有る筒状のアウタケーシング２０ａ／２０ｂ内に収容されており、
前記上ワイヤ２ａと下ワイヤ２ｂが前記ドラム１７から導出される各導出口１７１ａ／１７１ｂには、それぞれ、当該の導出口１７１ａ／１７１ｂと一体のワイヤガイド５Ａと、該ワイヤガイド５Ａの筒部５１Ａに対して摺動可能に内嵌され導出口１７１ａ／１７１ｂ側の端面６ｃＡがワイヤガイド５Ａの基部５３Ａに当接されるとともに反導出口側の端面６ｄＡ側に前記アウタケーシング２０ａ／２０ｂの端部が係止された筒状のスライドブッシュ６Ａと、前記ワイヤガイド５Ａとスライドブッシュ６Ａの間に介装されスライドブッシュ６Ａをワイヤガイド５Ａから離隔する方向へ付勢するコイルスプリング７Ａとが設けられており、
前記コイルスプリング７Ａを拡径状態で前記ワイヤガイド５Ａの筒部５１Ａの外周面に取り付けることにより該コイルスプリング７Ａがスライドブッシュ６Ａを押し出す伸張時にワイヤガイド５Ａの筒部５１Ａの外周面を外れてスライドブッシュ６Ａの外周面に移った部分が縮径するようにして、圧縮時にワイヤガイド５Ａの筒部５１Ａの外周面に再び乗り得ないようにした、
ことを特徴とするウインドレギュレータ。
【発明の効果】
【００１１】
構成１は、ガイドレール１１に摺動可能に設けられたスライダベース１３と、一端をドラム１７に接続され前記ガイドレール１１の上端のプーリー１５ａを介して他端を前記スライダベース１３の上部側に接続された上ワイヤ２ａと、一端を前記ドラム１７に接続され前記ガイドレール１１の下端のプーリー１５ｂを介して他端を前記スライダベース１３の下部側に接続された下ワイヤ２ｂとを有し、前記上ワイヤ２ａを前記ドラム１７に巻き取りつつ前記下ワイヤ２ｂを繰り出して前記スライダベース１３を上昇させることにより該スライダベース１３に支持されたウインドガラスを上昇させ、前記下ワイヤ２ｂを前記ドラム１７に巻き取りつつ前記上ワイヤ２ａを繰り出して前記スライダベース１３を下降させることにより前記ウインドガラスを下降させるウインドレギュレータであって、前記上ワイヤ２ａと下ワイヤ２ｂは、前記ドラム１７からそれぞれ対応するプーリー１５ａ／１５ｂに至る部分に於いて可撓性の有る筒状のアウタケーシング２０ａ／２０ｂ内に収容されており、前記上ワイヤ２ａと下ワイヤ２ｂが前記ドラム１７から導出される各導出口１７１ａ／１７１ｂには、それぞれ、当該の導出口１７１ａ／１７１ｂと一体のワイヤガイド５と、該ワイヤガイド５の筒部５１に対して摺動可能に外嵌され導出口１７１ａ／１７１ｂ側の端面６ｃがワイヤガイド５の基部５３に当接されるとともに反導出口側の端面６ｄ側に前記アウタケーシング２０ａ／２０ｂの端部が係止された筒状のスライドブッシュ６と、前記ワイヤガイド５とスライドブッシュ６の間に介装されスライドブッシュ６をワイヤガイド５から離隔する方向へ付勢するコイルスプリング７とが設けられており、前記コイルスプリング７を拡径状態で前記スライドブッシュ６の外周面に取り付けることにより該コイルスプリング７がスライドブッシュ６を押し出す伸張時にスライドブッシュ６の外周面を外れてワイヤガイド５の筒部５１の外周面に移った部分が縮径するようにして、圧縮時にスライドブッシュ６の外周面に再び乗り得ないようにしたことを特徴とするウインドレギュレータであるため、ワイヤ２ａ／２ｂが繰り出された状態から巻き取られる状態へ転じたためにスライドブッシュ６がワイヤガイド５へ接近する方向へ摺動しようとしても、コイルスプリング７の中でスライドブッシュ６の外周面を外れてワイヤガイド５の筒部５１の外周面に移った部分が、その摺動を妨げる。このため、スライドブッシュ６はその位置で止まり、次回にワイヤ２ａ／２ｂが巻き取られた状態から繰り出される状態へ転じたためにスライドブッシュ６がワイヤガイドから離隔する方向へ摺動する時には、当該の停止位置から摺動が開始されることとなり、その結果、限度まで摺動するために要する時間が短くなる。このため、使用者がいらついたり、ワイヤ２ａ／２ｂがプーリー１５ａ／１５ｂから脱落とするといった不具合も防止される。
構成２は、構成１ではスライドブッシュ６をワイヤガイド５の筒部５１に外嵌していたのに対し、スライドブッシュの筒径とワイヤガイドの筒部の筒径との大小関係を反対にして、コイルスプリングが縮径したときに乗り移る筒をスライドブッシュの外周面としたものであり、構成１と同様の作用効果を奏する。
【発明を実施するための最良の形態】
【００１２】
以下、本発明の実施の形態を説明する。
実施の形態のウインドレギュレータの全体的な構成は、略、前述の従来のウインドレギュレータと同様であり、異なる点は、弛み除去機構（ワイヤガイド５，スライドブッシュ６，コイルスプリング７）のみである。全体構成については、先に［背景技術］の項で図２を参照して説明した内容を採用することとし、ここでの再掲は省略する。
以下、弛み除去機構について、図１を参照して説明する。
図１はワイヤガイド５とコイルスプリング７とスライドブッシュ６から成る弛み除去機構を示し、（ａ）は分解状態を示す模式図、（ｂ１）〜（ｂ３）は組み付けた状態を示す模式図である。
【００１３】
図１（ａ）に示すように、ワイヤガイド５の筒部５１の外径をｄ１、コイルスプリング７の単独の状態（スライドブッシュ６の筒部の外周面に嵌めていない状態）での外径をＤ、スライドブッシュ６の筒の外径をｄ２とすると、
「ｄ２＞Ｄ＞ｄ１」
という関係にある。
このため、コイルスプリング７をスライドブッシュ６の筒部の外周面に嵌めることにより取り付けると（図１（ｂ１）参照）、コイルスプリング７は通常の状態よりも拡径された状態となり、常時、通常の状態に復元しようとする力が作用することとなる。
【００１４】
図１（ｂ１）は、ワイヤ２（２ａ／２ｂ）に弛みが無い状態である。
このとき、スライドブッシュ６の導出口１７１ａ／１７１ｂ側の端面６ｃはワイヤガイド５の基部５３に当接しており、反導出口側の端面６ｄ側の孔内にはアウタケーシング２０（２０ａ／２０ｂ）の端部が挿入・係止されている。
【００１５】
ワイヤ２（２ａ／２ｂ）が巻き取られた状態から繰り出される状態へ転じたためにワイヤ２（２ａ／２ｂ）に弛みが生じ、スライドブッシュ６がワイヤガイド５から離隔する方向へ摺動すると、図１（ｂ２）に示すように、コイルスプリング７の中でワイヤガイド５に近い側の部分７ｉがワイヤガイド５の筒部５１の外周面上へ乗り移り、その際、通常の状態への復元力によって縮径する。
摺動距離をｔ１で示す。
【００１６】
このため、ワイヤ２（２ａ／２ｂ）が繰り出された状態から巻き取られる状態へ転じたためにワイヤ２（２ａ／２ｂ）の弛みが無くなり、スライドブッシュ６がワイヤガイド５へ接近する方向へ摺動しようとしても、コイルスプリング７の中でワイヤガイド５の筒部５１の外周面上へ乗り移って縮径した部分７ｉが、その摺動を妨げる。
こうして、スライドブッシュ６は、コイルスプリング７の中の当該乗り移った部分７ｉの圧縮距離に対応する僅かな距離ｔ２のみ復帰を許容されることとなり、その位置で停止される。
【００１７】
したがって、次回に、ワイヤ２（２ａ／２ｂ）が巻き取られた状態から繰り出される状態へ転じたためにワイヤ２（２ａ／２ｂ）に弛みが生じた場合には、スライドブッシュ６は、上記の停止位置から摺動を開始することになり、結果、限度までの摺動距離が短くなって、摺動に要する時間、即ち、弛みを除去するまでの時間も短縮される。
このため、使用者がいらついたり、ワイヤ２ａ／２ｂがプーリー１５ａ／１５ｂから脱落とするといった不具合も防止される。
【００１８】
上記では、ワイヤガイド５の筒部５１の外径ｄ１と、コイルスプリング７の単独の状態での外径Ｄと、スライドブッシュ６の筒の外径ｄ２とが、
「ｄ２＞Ｄ＞ｄ１」
という関係にあり、このため、スライドブッシュ６がワイヤガイド５の筒部５１に外嵌される例を説明したが、これに代えて、図３に示す如く、
「ｄ１Ａ＞ＤＡ＞ｄ２Ａ」
として、スライドブッシュ６Ａがワイヤガイド５Ａの筒部５１Ａに内嵌されるように構成して、当初の状態でコイルスプリング７Ａをワイヤガイド５Ａの筒部５１Ａの外周面に嵌めて取り付け、スライドブッシュ６Ａが摺動した時に、コイルスプリング７Ａの中でスライドブッシュ６Ａ寄りの部分７ｉＡが縮径してスライドブッシュ６Ａの外周面に乗り移るように構成してもよい。その場合にも、略、上記と同様の効果を得る。
【図面の簡単な説明】
【００１９】
【図１】実施の形態のウインドレギュレータの弛み除去機構（ワイヤガイド５，スライドブッシュ６，コイルスプリング７）を示し、（ａ）は分解状態を示す模式図、（ｂ１）〜（ｂ３）は組み付けた状態を示す模式図である。
【図２】従来のウインドレギュレータを示し、（ａ）は要部を示す斜視図、（ｂ）は全体構成を示す正面図である。
【図３】図１とは異なる実施の形態のウインドレギュレータの弛み除去機構（ワイヤガイド５Ａ，スライドブッシュ６Ａ，コイルスプリング７Ａ）を示し、（ａ）は分解状態を示す模式図、（ｂ１）〜（ｂ３）は組み付けた状態を示す模式図である。
【符号の説明】
【００２０】
１１  ガイドレール
１３  スライダベース
１５ａ  上プーリー
１５ｂ  下プーリー
１７  ドラム
１７１ａ  上導出口
１７１ｂ  下導出口
２ａ  上ワイヤ
２ｂ  下ワイヤ
２０ａ  上アウターケーシング
２０ａ−ｃ  上アウタケーシングのドラム側の端部
２０ｂ  下アウターケーシング
２０ｂ−ｃ  下アウタケーシングのドラム側の端部
５  ワイヤガイド
５１  ワイヤガイドの筒部
５３  ワイヤガイドの基部
６  スライドブッシュ
６ｃ  スライドブッシュの導出口側の端部
６ｄ  スライドブッシュの反導出口側の端部
７  コイルスプリング
７ｉ  コイルスプリングの縮径部分
７ｊ  コイルスプリングの拡径部分
５ｐ  ワイヤガイド（従来）
５１ｐ  ワイヤガイドの筒部（従来）
６ｐ  スライドブッシュ（従来）
７ｐ  コイルスプリング（従来）
【図１】
2009203751.tif 000003
【図２】
2009203751.tif 000004
【図３】
2009203751.tif 000005